(57)【特許請求の範囲】
【請求項１】
基礎地盤に対して建築物の床面形状の外周囲近傍に沿って所定深さの溝が掘削され、
前記溝内に所定厚みのセメント系地盤改良材を転圧することにより改良地盤が生成され、
前記溝内の改良地盤の上面に、背高の肉厚略一様で縦溝付きの外側壁と背低の内側壁と底面部とがコンクリートにより一体にユニット化された所定長さのコンクリート基礎ブロックが長さ方向に複数個連結して組み付けられ、
前記連結されたコンクリート基礎ブロック内方の地盤上に略内側壁の高さまでセメント系地盤改良材を転圧することにより改良地盤が生成され、
前記コンクリート基礎ブロックの外側壁と内側壁の間、及びそれに連続してブロック内方の改良地盤上に配筋が組まれ、
前記配筋を埋め込むようにコンクリートが打たれており、
このコンクリートの上面がグランドレベルより所定高さ位置になるようにされていることを特徴とする建築物の基礎構造。
【請求項２】
基礎地盤に対して建築物の床面形状の外周囲近傍に沿って所定深さの溝を掘削し、前記溝内に所定厚みのセメント系地盤改良材を転圧することにより改良地盤を生成するステップと、
前記溝内の改良地盤の上面に、背高の肉厚略一様で縦溝付きの外側壁と背低の内側壁と底面部とがコンクリートにより一体にユニット化された所定長さのコンクリート基礎ブロックを長さ方向に複数個連結して組み付けるステップと、
前記連結されたコンクリート基礎ブロック内方の地盤上に略内側壁の高さまでセメント系地盤改良材を転圧することにより改良地盤を生成するステップと、
前記コンクリート基礎ブロックの外側壁と内側壁の間、及びそれに連続してブロック内方の改良地盤上に配筋を組むステップと、
前記配筋を埋め込むようにコンクリートを打つステップとからなり、
このコンクリートの上面がグランドレベルより所定高さ位置になるようにすることを特徴とする建築物の基礎構造施工法。
【発明の詳細な説明】
【０００１】
【発明の属する技術分野】
本発明は、建築物の基礎構造及びその施工法に関するものである。
【０００２】
【従来の技術】
従来、建築物の基礎構造、乃至その施工法は、地盤に設けた基礎構造体自体と建築物との間に床下空間が存在するものであった。その基礎構造体は、基礎地盤に対して建築物の土台が載置される領域に沿って所定深さの溝が掘削され、かつ、その溝で囲まれた内方の地盤面もグランドレベル（ＧＬ）よりも所定深さ（溝よりも浅い）に掘削され、溝及びその内方の地盤上に砕石及び／又は栗石が転圧され、その上面に、溝の上方とその他位置に縦配筋及びスラブ配筋が組まれ、溝の位置に組まれた縦配筋の両側面近傍に沿って仮枠を配設し、これら縦配筋を埋め込むようにコンクリートが打たれ、さらには、仮枠を取り外した後、スラブ配筋を埋め込むようにコンクリートが打たれたものとされている。
【０００３】
【発明が解決しようとする課題】
しかしながら、上記のような従来の建築物の基礎構造乃至はその施工法においては、基礎構造の施工のために、基礎地盤に建築物の土台が載置される領域内全面に亘って溝や地盤の掘削が必要であり、掘削量が多く、また、溝の両側面近傍に沿って仮枠を配設する必要があり、仮枠設置の手間と時間がかかり、工期の長期化、コスト高を招いていた。さらには、基礎構造自体と建築物との間に床下空間が存在するため、床下換気用の構成や白蟻対策が必要となっていた。
【０００４】
本発明は、上述した問題点を解決するためになされたものであり、基礎地盤に対して掘削しなければならない溝や地盤が少なくて済み、掘削した土は外部へ搬出する必要なく、地盤改良用に使用でき、また、コンクリートを打つために配設される仮枠設置の手間と時間を削減し、工期の短期化及び低コスト化が図れる建築物の基礎構造体と、それを用いた基礎構造及びその施工法を提供することを目的とする。
【０００７】
【課題を解決するための手段】
請求項１に記載の発明は、基礎地盤に対して建築物の床面形状の外周囲近傍に沿って所定深さの溝が掘削され、前記溝内に所定厚みのセメント系地盤改良材を転圧することにより改良地盤が生成され、前記溝内の改良地盤の上面に、背高の肉厚略一様で縦溝付きの外側壁と背低の内側壁と底面部とがコンクリートにより一体にユニット化された所定長さのコンクリート基礎ブロックが長さ方向に複数個連結して組み付けられ、前記連結されたコンクリート基礎ブロック内方の地盤上に略内側壁の高さまでセメント系地盤改良材を転圧することにより改良地盤が生成され、前記コンクリート基礎ブロックの外側壁と内側壁の間、及びそれに連続してブロック内方の改良地盤上に配筋が組まれ、前記配筋を埋め込むようにコンクリートが打たれており、このコンクリートの上面がグランドレベルより所定高さ位置になるようにされている建築物の基礎構造である。
【０００８】
上記基礎構造においては、基礎地盤に対する溝又は地盤の掘削は建築物の床面形状の外周囲に沿う領域だけでよく（溝により囲まれた基礎地盤内方の地盤掘削は必要に応じて僅かに浅く掘削するだけでよい）、溝や地盤の掘削量が従来の土台位置の全てを掘削する場合に比し大幅に少なくなる。また、ユニット化されたコンクリート基礎ブロックを連結して組み付け、このコンクリート基礎ブロックの外側壁と内側壁の間及びブロック内方に生成した改良地盤上に配筋を組み、この配筋を埋め込むようにコンクリートを打つので、コンクリートを打つために配設される仮枠は必要でなくなり、仮枠設置を省力化できる。また、コンクリートの上面がグランドレベルより所定高さ位置になるようにすることで、床下空間を有することなく建築物を載せることが可能な基礎構造とすることができる。
【０００９】
また、請求項２に記載の発明は、基礎地盤に対して建築物の床面形状の外周囲近傍に沿って所定深さの溝を掘削し、前記溝内に所定厚みのセメント系地盤改良材を転圧することにより改良地盤を生成するステップと、前記溝内の改良地盤の上面に、背高の肉厚略一様で縦溝付きの外側壁と背低の内側壁と底面部とがコンクリートにより一体にユニット化された所定長さのコンクリート基礎ブロックを長さ方向に複数個連結して組み付けるステップと、前記連結されたコンクリート基礎ブロック内方の地盤上に略内側壁の高さまでセメント系地盤改良材を転圧することにより改良地盤を生成するステップと、前記コンクリート基礎ブロックの外側壁と内側壁の間、及びそれに連続してブロック内方の改良地盤上に配筋を組むステップと、前記配筋を埋め込むようにコンクリートを打つステップとからなり、このコンクリートの上面がグランドレベルより所定高さ位置になるようにする建築物の基礎構造施工法である。
【００１０】
上記基礎構造施工法においては、請求項１の発明と同様の作用が得られる。
【００１１】
【発明の実施の形態】
以下、本発明の一実施形態に係る建築物の基礎構造体とそれを用いた基礎構造及びその施工法について図面を参照して説明する。図１は本施工法が適用されて完成した基礎構造の断面を示す。施工者は、基礎地盤１に対して建築物の床面形状の外周囲近傍に沿って所定幅でかつグランドレベルＧＬより所定深さ（５００ｍｍ程度）の溝３を掘削する。溝３により囲まれた基礎地盤１の内方面１２もグランドレベルＧＬより僅かに低く（１５０ｍｍ程度）なるようにほぼ全面的に掘削する。なお、図示の長さ数字表示（単位ｍｍ）は一例である。
【００１２】
上記により掘削した溝３内に所定厚みの改良地盤４ａを形成する。改良地盤４ａは、砕石及び／又は栗石、もしくは土質安定処理材(セメント系地盤改良材)を転圧することにより形成する。この厚みは２５０ｍｍ程度とする。続いて、この改良地盤４ａの上面に、ユニット化された所定長さのコンクリート基礎ブロック２を複数個長さ方向に連結して組み付ける。建築物の基礎構造体このコンクリート基礎ブロック２は、背高の外側壁２ａと背低の内側壁２ｂと底面部２ｃとを有する。
【００１３】
次に、前記連結されたコンクリート基礎ブロック２により囲まれた内方であって、溝３の内方面１２の地盤上にも内側壁２ｂの高さまで、砕石及び／又は栗石を転圧することにより、改良地盤４ｂを生成する。この改良地盤４ｂの厚みは４００ｍｍ程度とし、グランドレベルＧＬより２５０ｍｍ程度の高さとする。コンクリート基礎ブロック２の背高の外側壁２ａの上端は、グランドレベルＧＬより４００ｍｍ程度の高さになるようにしている。
【００１４】
次に、コンクリート基礎ブロック２の外側壁２ａと内側壁２ｂの空間、及びそれに連続してブロック内方の改良地盤４ｂ上に、縦方向では縦配筋５、水平位置ではスラブ配筋６を組む。さらに、これら配筋５，６を埋め込むようにコンクリート１８を打つ。このコンクリートの１８の水平上面がグランドレベルＧＬより所定必要高さ（４００ｍｍ程度）位置になるようにする。コンクリート１８を打った後は、溝掘削による基礎構造の外周囲空間は土で埋めればよい。
【００１５】
こうして施工された基礎構造体は、デッキ構造となり、コンクリート１８上に床下空間を有することなく建築物を載せることができる。なお、図示していないが、コンクリート１８上面の適宜の位置に、建築物の土台を固定するためのアンカーが設けられる。
【００１６】
図２は基礎構造の全体平面の一例を示す。基礎構造は、建築物の床面形状の外周囲に沿って複数個のコンクリート基礎ブロック２が連結され、コーナー部にはそれ用のコンクリート基礎ブロック２１が配置される。
【００１７】
図３は、コンクリート基礎ブロック２の外観を、図４（ａ）（ｂ）はコンクリート基礎ブロック２の側断面と外側面を示す。コンクリート基礎ブロック２の長さ方向寸法は略９００ｍｍとしている。また、背高の外側壁２ａと背低の内側壁２ｂとの高さの差は、１５０ｍｍ程度とすればよい。底面部２ｃは内側壁２ｂ側に僅かに延設している。コンクリート基礎ブロック２の外側壁２ａと内側壁２ｂの両側部近傍で、高さ方向中間より少し上の同じ高さ位置に隣のブロックとの連結用の孔２ｄが設けられている。連結用の孔２ｄの各々にはボルトを差し込んでおき、施工時には、これらボルトにワイヤーを引っ掛けて、コンクリート基礎ブロック２を重機で吊り上げる。また、隣り合うブロック間は、プレート状連結用金具１９（図３）と上記ボルトを用いて連結する。コンクリート基礎ブロック２の外側壁２ａには、適宜の間隔で縦溝２ｅが設けられている。この縦溝２ｅは、複数のブロック２が連結されたときの外観を良くするために有効である。底面部２ｃには、孔２ｆと、テーパ開口２ｇが形成されている。これらは改良地盤４ａに対する位置決めを行うのに有効である。
【００１８】
図５は、コンクリート基礎ブロック２の他の例を示す。このコンクリート基礎ブロック２は、２つのＬ字型ブロックを組み合わせ、ボルトで結合することにより、背高の外側壁２ａと背低の内側壁２ｂと底面部２ｃとが形成されている。この構成においては、コンクリート基礎ブロックを作製するための型が簡単なものでよく、安価に作製可能となる。
【００１９】
上記実施形態による基礎構造施工法においては、基礎地盤１に対して溝３は建築物の床面形状の外周囲に沿う領域だけ掘削すればよいので、溝３の掘削量は従来の土台位置の全てを掘削する場合に比し大幅に少なくなる。また、コンクリート１８を打つために仮枠を設ける必要がないので、手間を大幅に削減できる。また、溝３により囲まれた基礎地盤１内方の地盤は、掘削するとしても僅かに浅く掘削するものとし、改良地盤４ｂ（転圧された砕石及び／又は栗石、もしくは土質安定処理材）上に打たれるコンクリート１８上面を基礎地盤１のグランドレベルＧＬより所定高さ以上にすることで、床下空間を有することなく建築物を載せることができる。そして、床下がないことで、換気構造や白蟻対策が不要となる。
【００２０】
また、複数の連結されたコンクリート基礎ブロック２とコンクリート１８とが配筋５，６を介してデッキ状の基礎構造体を成すことから、地盤に対する安定度が高まる。また、溝３の内方面１２の上面に配設される改良地盤４ｂ（砕石及び／又は栗石４）とコンクリート１８との厚みを増大することなく、コンクリート１８上面をグランドレベルＧＬに対して必要な高さにすることができる。また、構造上、水履けが良好で、配筋（鉄筋）の耐腐食性も良好となる。なお、本発明は上記実施の形態の構成に限られず種々の変形が可能である。
【００２１】
【発明の効果】
以上のように本発明によれば、（１）基礎地盤に対する溝の掘削は建築物の床面形状の外周囲に沿う領域だけでよい（溝により囲まれた基礎地盤内方の地盤は必要に応じて僅かに浅く掘削するだけでよい）ので、溝や地盤の掘削量が従来に比し大幅に少なくて済み、掘削の手間と時間を削減し、工期の短期化及び低コスト化が図れる。
（２）ユニット化されたコンクリート基礎ブロックを連結して組み付けるので、コンクリートを打つために配設される仮枠が不要となる。これにより、仮枠設置の手間と時間を削減し、工期の短期化及び低コスト化が図れる。
（３）溝により囲まれた基礎地盤内方の地盤は、掘削するとしても僅かに浅く掘削するだけとし、改良地盤上に打たれたコンクリート上面が基礎地盤のグランドレベルより所定高さ以上としていることから、床下空間を有することなく建築物を載せることが可能な基礎構造が得られる。
【図面の簡単な説明】
【図１】  本発明の一実施形態に係る建築物の基礎構造体を用いた基礎構造の断面図。
【図２】  上記基礎構造の平面図。
【図３】  上記基礎構造体を構成するコンクリート基礎ブロックの斜視図。
【図４】  （ａ）（ｂ）は上記基礎ブロックの側面図と外側面図。
【図５】  上記基礎ブロックの他の例を示す側面図。
【符号の説明】
１      基礎地盤
２      コンクリート基礎ブロック（基礎構造体）
２ａ    背高の外側壁
２ｂ    背低の内側壁
２ｃ    底面部
２ｄ    連結用の孔
３      溝
４ａ，４ｂ    砕石及び／又は栗石を転圧した改良地盤、もしくは土質安定処理材
５      縦配筋
６      スラブ配筋
１２    内方面
１８    コンクリート
【図１】
0003806628.tif 000002
【図２】
0003806628.tif 000003
【図３】
0003806628.tif 000004
【図４】
0003806628.tif 000005
【図５】
0003806628.tif 000006